(57)【要約】【課題】本発明は一種の駆動カムの阻止部が破裂することを防止する電気コネクタを提供することを目的とする。【解決手段】本発明の電気コネクタ１は複数の端子を収容するための端子収容穴２１を有するベース２と、ベース２に取り付けられ、ベース２の端子収容穴２１と貫通する複数の端子貫通穴３１を有するカバー３と、ベース２及びカバー３に貫通して取り付けられる駆動カム４と、を含み、カバー３の一端部にカバーホール３２１が形成され、カバーホール３２１に制御部３２１１が形成され、ベース２にカバーホール３２１と貫通するベースホール２２１が設けられ、駆動カム４の周壁面に阻止部が形成され、阻止部は根部及び前端を含む。【選択図】　　図１
2004014506.tif 000002
【特許請求の範囲】
【請求項１】
チップモジュールを搭載して回路基板に電気的に接合することに用いられる電気コネクタであって、
複数の端子を収容するための端子収容穴を有し、かつ一端部にベースホールが形成されるベースと、
前記ベースに取り付けられ、該ベースの前記端子収容穴と貫通する複数の端子貫通穴及び前記ベースホールと貫通するカバーホールを含み、該カバーホールに制御部が形成されるカバーと、
周壁面に阻止部が形成され、該阻止部は根部及び前端を含む駆動カムと、
前記駆動カムが前記カバーホール及び前記ベースホールを通過して前記ベース及び前記カバーに取り付けられる際に、前記阻止部は前記カバーホールに位置し、かつ前記阻止部の前記根部の寸法は前記前端の寸法より大きく、前記阻止部がだんだん小さくなるよう形成され、前記阻止部が回転する過程中に前記制御部から阻止作用を受ける際に、回転モーメントがあまりにも大きいことにより根部が破裂することを防止することを特徴とする電気コネクタ。
【請求項２】
前記ベースの一側には、ベースプラットホームが延伸して設けられ、前記ベースホールが前記ベースプラットホームに設けられていることを特徴とする請求項１に記載の電気コネクタ。
【請求項３】
前記カバーには前記ベースプラットホームに対応する所にカバープラットホームが延伸して設けられ、カバーホールが該カバープラットホームに設けられていることを特徴とする請求項２に記載の電気コネクタ。
【請求項４】
前記駆動カムは駆動段、動作段及びリベット接合段を含んでいることを特徴とする請求項１に記載の電気コネクタ。
【請求項５】
前記駆動カムの前記駆動段は、前記カバーの前記カバーホールに収容され、前記動作段は前記ベースの前記ベースホールに収容され、前記リベット接合段は外部のリベットシートとリベット接合されていることを特徴とする請求項４に記載の電気コネクタ。
【請求項６】
前記駆動カムの前記動作段及び前記リベット接合段は、前記駆動段と不共軸であることを特徴とする請求項５に記載の電気コネクタ。
【請求項７】
前記駆動カムの前記阻止部の端面はだんだん小さくなる曲面に形成されていることを特徴とする請求項１または６に記載の電気コネクタ。
【発明の詳細な説明】
【０００１】
【発明の属する技術分野】
本発明は一種のチップモジュールを搭載して回路基板に電気的に接合することに用いられる電気コネクタに関し、特に、駆動カムにより駆動する一種の電気コネクタに関するものである。
【０００２】
【従来の技術】
本発明に関する従来の電気コネクタは通常、平板状のベースと、ベースに取り付けられる平板状のカバーと、カバー及びベースを貫通する駆動装置と、を含む（非特許文献１参照）。カバーはチップモジュールを搭載することに用いられ、ベースは回路基板に取り付けられ、駆動装置は通常は回転可能なカムであって、カムの回転により、カバーを駆動してベースに対して摺動する。該カムの縁部には阻止部が設けられ、カバーは阻止部が過度に回転することを防止するための制御部（例えば特許文献１乃至特許文献５参照）を有する。前記特許文献３及び特許文献５に掲示される阻止部は比較的小さく、かつ根部及び前端は同じ幅に形成され、カムが過度に回転する際に、阻止部はカバーの制御部に一定の衝撃力を与えるとともに、阻止部の横断面の応力も最大値に到達し、従って、駆動カムの回転モーメントが過度に大きい際に、阻止部は根部に沿って破裂しやすく、駆動装置に対して制御が効かなくなる。
【０００３】
【非特許文献１】
２００２年１月７日に発行された米国の「Ｅｌｅｃｔｒｏｎｉｃ　Ｄｅｓｉｇｎ」という雑誌の第９２ページ
【特許文献１】
米国特許第６１４６１７８号明細書
【特許文献２】
米国特許第６２３１３６６号明細書
【特許文献３】
米国特許第６２５０９４１号明細書
【特許文献４】
米国特許第６２５４４１５号明細書
【特許文献５】
台湾実用新案の登録出願第９１２００１７３号公報
【０００４】
【発明が解決しようとする課題】
本発明は、一種の駆動カムの阻止部が破裂することを防止する電気コネクタを提供することを目的とする。
【０００５】
【課題を解決するための手段】
本発明の電気コネクタは複数の端子を収容するための端子収容穴を有するベースと、前記ベースに取り付けられ、ベースの端子収容穴と貫通する複数の端子貫通穴を有するカバーと、ベース及びカバーに貫通して取り付けられる駆動カムと、を含み、前記カバーの一端部にカバーホールが形成され、該カバーホールに制御部が形成され、ベースにカバーホールと貫通するベースホールが設けられ、駆動カムの周壁面に阻止部が形成され、該阻止部は根部及び前端を含み、該駆動カムがカバーホール及びベースホールを通過してベース及びカバーに取り付けられる際に、阻止部はカバーホールに位置し、かつ阻止部の根部の寸法は前端の寸法より大きく、阻止部がだんだん小さくなるよう形成され、阻止部が回転する過程中に制御部から阻止作用を受ける際に、回転モーメントがあまりにも大きいことにより根部が破裂することを防止する。
【０００６】
【発明の実施の形態】
図１、図６及び図７を参照すると、本発明の電気コネクタ１は平板状のベース２と、該ベース２に取り付けられる平板状のカバー３と、ベース２及びカバー３を貫通する駆動カム４と、駆動カムの一端部にリベット接合されるリベットシート５と、を含む。ベース２に端子（図示せず）を収容する複数の端子収容穴２１が設けられ、ベース２の一側にベースプラットホーム２２が延伸され、該ベースプラットホーム２２に矩形のベースホール２２１が設けられる。
【０００７】
前記カバー３はコンピューターのチップモジュールを搭載することに用いられ、ベース２の端子収容穴２１に対応する所にチップモジュールの導電ピン端子（図示せず）を収容するための貫通穴３１が設けられる。カバー３にはベース２のベースプラットホーム２２に対応する所にカバープラットホーム３２が延伸して設けられ、該カバープラットホーム３２にはベースプラットホーム２２のベースホール２２１に対応する所にカバーホール３２１が設けられる。カバー３がベース２に取り付けられる際に、ベースホール２２１はカバーホール３２１と互いに貫通し、駆動カム４はベースホール２２１及びカバーホール３２１を通過してかつその中に収容される。また、カバーホール３２１の周壁面に肩状の２つの制御部３２１１が設けられる。カバーホール３２１に金属パッド（図示せず）が取り付けられ、駆動カム４が回転する時の摩擦力を低減するとともに、カバーホールのプラスチックから作られてなる内壁が損害することを防止する。
【０００８】
図２乃至図５を参照すると、駆動カム４は階段状の円柱体であって、半径が異なることにより駆動段４１、動作段４２及びリベット接合段４３に分けられ、前記動作段４２及びリベット接合段４３は同軸であって、かつ該軸線は駆動段４１の軸線と平行しかつ一定の距離がある。駆動段４１はカバー３のカバーホール３２１に収容され、動作段４２はベース２のベースホール２２１に収容され、リベット接合段４３はリベットシート５とリベット接合され、カバー３がベース２から離脱することを防止する。駆動段４１は頂部４１１及び軸部４１２に分かれ、頂部４１１の上面４１１１に外部道具（例えばドライバ）を挿入して操作を行うための矩形の操作溝４１１２が開設され、頂部４１１の周壁面にブロック状の阻止部４１１３が一体に突設され、該阻止部４１１３は根部４１１４及び前端４１１５を含む。
【０００９】
前記ベース２及びカバー３は組立てた際に、駆動カム４の回転によりベース２及びカバー３は２種の状態があり、第１種状態において、カバー３はベース２の上方に位置しかつベース２に対して一定の距離にあり、チップモジュールがカバー３の上方に位置した際に、操作道具（例えばドライバ）により駆動カム４は一定の角度だけ回転してカバーホール３２１の制御部３２１１に至り、この時、駆動カム４の駆動段４１の押圧によりカバー３がベース２に対して摺動し、一定の距離が消失し、チップモジュールのピンとベース２の端子収容穴２１の端子とが電気的に接続される。阻止部４１１３がカバーホール３２１の制御部３２１１まで回転した際に、制御部３２１１の阻止により一定の衝撃力が生じ、駆動カム４の阻止部４１１３が損害することを防止するために、阻止部４１１３は根部４１１４の寸法が前端４１１５の寸法よりも大きくてだんだん小さくなる形状（図４に示すように）に設置される。従って、阻止部４１１３がカバーホール３２１の制御部３２１１により阻止される際に、阻止部４１１３の応力が均一となって回転モーメントがあまりにも大きいことにより阻止部４１１３が根部４１１４に沿って破裂することを回避するとともに、阻止部４１１３の端面４１１６がだんだん小さくなる曲面（図５に示すように）に設置され、材料が倹約されてコストが低減される。
【００１０】
前記実施の形態は単なる本発明のより良い実施の形態であって、本発明の請求範囲を限定するものではなく、当業者が本発明に基づいてなしうる細部の修正或は変更などは、いずれも本発明の特許請求の範囲に属するものである。
【図面の簡単な説明】
【図１】本発明の電気コネクタの分解斜視図である。
【図２】本発明の電気コネクタの駆動カムの斜視図である。
【図３】本発明の電気コネクタの駆動カムを他の角度から見た斜視図である。
【図４】本発明の電気コネクタの駆動カムを上面から見た図である。
【図５】本発明の電気コネクタの駆動カムの斜視図である。
【図６】本発明の電気コネクタの組立斜視図である。
【図７】図６に示した電気コネクタのＶＩＩ−ＶＩＩ線方向の局部断面拡大図である。
【符号の説明】
１　　　電気コネクタ
２　　　ベース
３　　　カバー
４　　　駆動カム
５　　　リベットシート
２１　　　端子収容穴
２２　　　ベースプラットホーム
３１　　　端子貫通穴
３２　　　カバープラットホーム
４１　　　駆動段
４２　　　動作段
４３　　　リベット接合段
２２１　　　ベースホール
３２１　　　カバーホール
４１１　　　頂部
４１２　　　軸部
３２１１　　　制御部
４１１１　　　上面
４１１２　　　操作溝
４１１３　　　阻止部
４１１４　　　根部
４１１５　　　前端
４１１６　　　端面
【図１】
2004014506.tif 000003
【図２】
2004014506.tif 000004
【図３】
2004014506.tif 000005
【図４】
2004014506.tif 000006
【図５】
2004014506.tif 000007
【図６】
2004014506.tif 000008
【図７】
2004014506.tif 000009